(57)【要約】【課題】クラックの発生および拡大を抑制して耐久性および信頼性を向上した表示装置およびその製造方法を提供する。【解決手段】表示装置１００は、表示パネル１と、表示パネル１を湾曲状態で固定するための所望の湾曲形状を有する後面筐体９０と、表示パネル１の主面の端部に接続しないで表示パネル１の全周を覆う保護フレーム７０とを備える。【選択図】図３
2013242493.tif 000002
【特許請求の範囲】
【請求項１】
表示パネルと、
前記表示パネルを湾曲状態に配置するための所望の湾曲形状を有する後面筐体と、
前記表示パネルの主面の端部に接続しないで前記表示パネルの全周を覆う保護フレームとを備える
表示装置。
【請求項２】
前記保護フレームは、前記後面筐体の湾曲形状と同じ曲率の湾曲形状に形成されている
請求項１に記載の表示装置。
【請求項３】
前記保護フレームは、前記表示パネルに接続される配線を通す空隙を形成するための複数の突起部を有する
請求項１または２に記載の表示装置。
【請求項４】
前記突起部の高さは、前記表示パネルの高さより高い
請求項３に記載の表示装置。
【請求項５】
前記保護フレームは、前記表示パネルの主面の前記端部を除く領域に接触している
請求項１〜４のいずれか１項に記載の表示装置。
【請求項６】
前記後面筐体の前記表示パネルが固定される面は、凸状の湾曲形状に形成されている
請求項１〜５のいずれか１項に記載の表示装置。
【請求項７】
前記後面筐体の前記表示パネルが固定される面は、凹状の湾曲形状に形成されている
請求項１〜５のいずれか１項に記載の表示装置。
【請求項８】
前記表示装置は、さらに、
前記表示パネルを露出するための開口部を有し、前記後面筐体の湾曲形状と同じ曲率の湾曲形状に形成されている前面筐体を備える
請求項１〜７のいずれか１項に記載の表示装置。
【請求項９】
前記後面筐体の少なくとも一辺は、前記配線が配置される位置で屈曲されている
請求項１〜８のいずれか１項に記載の表示装置。
【請求項１０】
前記表示装置は、さらに、
前記表示パネルと前記後面筐体との間に、前記表示パネルと前記後面筐体との摩擦および衝撃を緩和するための保護層を備える
請求項１〜９のいずれか１項に記載の表示装置。
【請求項１１】
前記保護フレームは、前記表示パネルの主面の前記端部を除く領域まで伸び、かつ、前記表示パネル側に屈曲した形状を有し、
前記表示パネルの主面の前記端部を除く領域における前記表示パネルの主面と前記保護フレームとの距離は、前記表示パネルの主面の前記端部における前記表示パネルの主面と前記保護フレームとの距離より小さい
請求項１〜１０のいずれか１項に記載の表示装置。
【請求項１２】
所望の曲率に湾曲した後面筐体を準備する工程と、
前記後面筐体の上方に、前記後面筐体の湾曲面に沿って表示パネルを配置する工程と、
前記表示パネルの主面の端部を前記表示パネルの表面の端部と接触しない保護フレームで覆う工程とを含む
表示装置の製造方法。
【請求項１３】
前記後面筐体を準備する工程の後、前記表示パネルを配置する工程の前に、さらに、
前記後面筐体の上に保護層を形成する工程を含む
請求項１２に記載の表示装置の製造方法。
【発明の詳細な説明】
【技術分野】
【０００１】
本発明は表示装置およびその製造方法に関し、特に、湾曲した表示画面を有する表示装置に関するものである。
【背景技術】
【０００２】
近年、表示装置に対するニーズは多様化し、さらなる薄型、軽量化が進んでいる。特に設置された空間に溶け込みながら情報を自然に提供する湾曲形状のディスプレイ（湾曲ディスプレイ）への要求が高まっている（例えば、特許文献１参照）。
【０００３】
湾曲ディスプレイを実現するためには、表示パネルを構成する基板に可撓性を持たせる必要がある。湾曲化する方法としては基板そのものに可撓性のあるプラスチック基板を用いる方法と、ガラス基板を薄板化することで曲げを可能にする方法がある。プラスチック基板を用いる方法は、プロセスにおける耐熱性など課題も多い。一方、ガラス基板を薄板化する方法は、従来の製造技術を流用することができる点から、有効とされている。
【先行技術文献】
【特許文献】
【０００４】
【特許文献１】特開２０１０−９０１７号公報
【発明の概要】
【発明が解決しようとする課題】
【０００５】
ガラス基板の薄板化による湾曲ディスプレイにおいて重要な課題は、ガラスの強度確保である。ガラス基板は、板厚が薄いことによるハンドリングの困難性に加え、曲げによって特に引張り応力が加わり続けるため、ガラス基板の周縁にクラック（亀裂）が形成された場合にそのクラックを起点としてガラス基板全体に破壊が発生しやすい。
【０００６】
破壊を防ぐために、製造工程においてもクラック等を発生させないことが要求される。また、パネルの保持構造（または、保護構造）には、クラックの拡大を防止するために、不要な応力や歪みが表示パネルに加わらない構成が求められる。
【０００７】
上記した課題に鑑み、本発明は、クラックの発生および拡大を抑制して耐久性および信頼性を向上した表示装置およびその製造方法を提供することを目的とする。
【課題を解決するための手段】
【０００８】
前記の課題を解決するために、本発明に係る表示装置は、表示パネルと、前記表示パネルを湾曲状態で固定するための所望の湾曲形状を有する後面筐体と、前記表示パネルの主面の端部に接続しないで前記表示パネルの全周を覆う保護フレームとを備える。
【発明の効果】
【０００９】
本発明に係る表示装置および製造方法によれば、クラックの発生および拡大を抑制することができるため、耐久性および信頼性を向上した表示装置およびその製造方法を提供することができる。
【図面の簡単な説明】
【００１０】
【図１】本発明の実施の形態１に係る表示装置の構成を示す斜視図である。
【図２】図１において前面筐体を省略した表示装置の構成を示す平面図である。
【図３】図１および図２の表示装置のＡ−Ａ線における断面図である。
【図４】図１および図２の表示装置のＡ−Ａ線における断面の拡大図である。
【図５】本発明の実施の形態１に係る保護フレームの裏面の拡大図である。
【図６】本発明の実施の形態１に係る表示装置の製造工程を示すフローチャートである。
【図７】本発明の実施の形態２に係る表示装置の構成を示す斜視図である。
【図８】図７において前面筐体を省略した表示装置の構成を示す平面図である。
【図９】図７の表示装置のＢ−Ｂ線における断面図である。
【図１０】本発明の実施の形態３に係る表示装置の構成を示す斜視図である。
【図１１】図１０において前面筐体を省略した表示装置の構成を示す平面図である。
【図１２】図１０の表示装置のＣ−Ｃ線における断面図である。
【図１３】本実施の形態４に係る表示装置の断面の拡大図である。
【発明を実施するための形態】
【００１１】
（本発明の基礎となった知見）
ディスプレイに用いられるガラス基板は一般的に０．４−０．７ｍｍ程度であり、フッ酸系溶液に代表される基板を溶かす強酸性溶液中に基板を浸漬させる化学的な加工方法などを用いて薄板化される。その後、薄板化した基板を湾曲形状に曲げて筐体の外形と一体化させることで湾曲ディスプレイを実現する。
【００１２】
湾曲ディスプレイにおいて重要な課題は、上記したようにガラス基板の強度確保である。ガラス基板は、薄板化により板厚が薄く形成されているため、ハンドリングが困難な場合がある。また、ガラス基板には、ガラス基板を湾曲させるための応力（特に、引張り応力）が加わり続けるため、ガラス基板の周縁に傷等のクラックが形成された場合にそのクラックを起点としてガラス基板全体に破壊が発生しやすい。
【００１３】
ガラス基板の破壊を防ぐために、例えば基板切断工程や薄板化工程においてもクラック等を発生させないことが要求される。また、表示パネルの保持構造（または、保護構造）には、クラックが発生した場合にそのクラックの拡大を防止するために、不要な応力や歪みが表示パネルに加わらない構成が求められる。
【００１４】
従来のパネルの保持構造としては、薄型化した表示パネルの一方の基板側に接着層を設けて、接着された表示パネルを板に固定して矯正することにより、湾曲状態を維持する方法が提案されている。また、表示パネルの基板端部は、樹脂で覆われている構成となる。しかしながら、この方法においては、表示パネルの端部は樹脂のみで保護される構成であるため表示パネル端部の機械強度が低く、筐体や支持体と接触した際に破壊されるおそれがあるという課題を有している。
【００１５】
また、湾曲を実現するためのガラス基板の薄板化において、フレキシブルケーブルやプリント基板が実装された表示パネルの製造後に基板をエッチングする際、基板上の配線端子の腐食を防止する目的で基板の端部を樹脂等で保護するため、基板表面端部がエッチングされずに残ってしまう。こうして薄板化した表示パネルについて、基板端部を樹脂で覆い湾曲させると、基板端部の厚みが主面に対して大きくなるため、カバー部品の接触やネジ止めの局所的圧力などにより、基板端部に微小な亀裂が発生しやすく、曲げ引張り応力と相まってパネルに亀裂が急速に拡大するという問題がある。
【００１６】
さらには、表示装置の設置角度によっては、基板周辺のプリント基板の重力に対する応力と湾曲による応力とがガラス基板に集中し、ガラス基板の強度を低下させるという問題がある。
【００１７】
そこで、本件出願人らは、クラックの発生および拡大を抑制して耐久性および信頼性を向上した表示装置およびその製造方法を見出している。
【００１８】
詳細には、本発明の一態様に係る表示装置は、表示パネルと、前記表示パネルを湾曲状態で固定するための所望の湾曲形状を有する後面筐体と、前記表示パネルの主面の端部に接続しないで前記表示パネルの全周を覆う保護フレームとを備える。
【００１９】
この構成によれば、表示パネル端部への圧力や接触を防ぐことができるので、クラックの発生および拡大を抑制して耐久性および信頼性を向上した表示装置を提供することができる。
【００２０】
また、前記保護フレームは、前記後面筐体の湾曲形状と同じ曲率の湾曲形状に形成されていることが好ましい。
【００２１】
この構成によれば、保護フレームの、表示パネル端部への圧力や接触による負荷をより防ぐことができる。
【００２２】
また、前記保護フレームは、前記表示パネルに接続される配線を通す空隙を形成するための複数の突起部を有することが好ましい。
【００２３】
この構成よれば、表示パネルに接続される配線を妨げることなく、保護フレームを配置することができる。
【００２４】
また、前記突起部の高さは、前記表示パネルの高さより高いことが好ましい。
【００２５】
この構成によれば、保護フレームは、表示パネルの主面の端部に接触せずに表示パネルの全周を覆うことができる。
【００２６】
また、前記保護フレームは、前記表示パネルの主面の前記端部を除く領域に接触していることが好ましい。
【００２７】
この構成によれば、クラックの発生および拡大を抑制して耐久性および信頼性を向上しつつ、表示パネルを湾曲形状に保持することができる。
【００２８】
また、前記後面筐体の前記表示パネルが固定される面は、凸状の湾曲形状に形成されていることが好ましい。
【００２９】
また、前記後面筐体の前記表示パネルが固定される面は、凹状の湾曲形状に形成されていることが好ましい。
【００３０】
また、前記表示装置は、さらに、前記表示パネルを露出するための開口部を有し、前記後面筐体の湾曲形状と同じ曲率の湾曲形状に形成されている前面筐体を備えることが好ましい。
【００３１】
また、前記後面筐体の少なくとも一辺は、前記配線が配置される位置で屈曲されていることが好ましい。
【００３２】
この構成によれば、表示装置の応力に対する耐久性および信頼性をより向上することができる。
【００３３】
また、前記表示装置は、さらに、前記表示パネルと前記後面筐体との間に、前記表示パネルと前記後面筐体との摩擦および衝撃を緩和するための保護層を備えることが好ましい。
【００３４】
この構成によれば、表示パネルと後面筐体との摩擦および衝撃を緩和することができる。
【００３５】
また、前記保護フレームは、前記表示パネルの主面の前記端部を除く領域まで伸び、かつ、前記表示パネル側に屈曲した形状を有し、前記表示パネルの主面の前記端部を除く領域における前記表示パネルの主面と前記保護フレームとの距離は、前記表示パネルの主面の前記端部における前記表示パネルの主面と前記保護フレームとの距離より小さいことが好ましい。
【００３６】
この構成によれば、表示パネルが保護フレームに接触してしまう場合があったとしても、表示パネルの端部ではなく、表示パネルの主面の端部を除く領域で接触するので、保護フレームが表示パネルの端部へ接触することや表示パネルの端部に圧力がかかることを防ぐことができる。これにより、表示装置の応力に対する耐久性および信頼性をより向上することができる。
【００３７】
また、本発明の一態様に係る表示装置の製造方法は、所望の曲率に湾曲した後面筐体を準備する工程と、前記後面筐体の上方に、前記後面筐体の湾曲面に沿って表示パネルを配置する工程と、前記表示パネルの主面の端部を前記表示パネルの表面の端部と接触しない保護フレームで覆う工程とを含む。
【００３８】
この構成よれば、表示パネル端部への圧力や接触を防ぐことができるので、クラックの発生および拡大を抑制して耐久性および信頼性を向上した表示装置を提供することができる。
【００３９】
また、前記後面筐体を準備する工程の後、前記表示パネルを配置する工程の前に、さらに、前記後面筐体の上に保護層を形成する工程を含むことが好ましい。
【００４０】
この構成によれば、表示パネルと前記後面筐体との摩擦および衝撃を緩和することができる。
【００４１】
以下、本発明の実施の形態について、図面を参照しながら説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００４２】
（実施の形態１）
本発明の実施の形態１に係る表示装置について説明する。
【００４３】
図１は、本実施の形態に係る表示装置１００の構成を示す斜視図である。
【００４４】
図１に示すように、表示装置１００は、表示パネル１と、前面筐体８０と、後面筐体９０とを備える。前面筐体８０は、開口部８５を有しており、当該開口部８５の内部に表示パネル１が配置されている。
【００４５】
図２は、図１において前面筐体８０を省略した表示装置１００の構成を示す平面図である。
【００４６】
図２に示すように、表示装置１００は、後面筐体９０の上に、端子部６０と、フレキシブルケーブル５０と、プリント基板５５と、保護フレーム７０とを有している。
【００４７】
表示パネル１は、後面筐体９０の上の中央部分に配置されている。また、表示パネル１にはフレキシブルケーブル５０が接続され、本発明の配線に相当するフレキシブルケーブル５０は端子部６０に接続されている。さらに、表示パネル１を囲むように保護フレーム７０が設けられている。
【００４８】
以下、図３および図４を参照し、表示装置１００における表示パネル１について説明する。
【００４９】
図３は、図１および図２の表示装置１００のＡ−Ａ線における断面図、図４は、図１および図２の表示装置１００のＡ−Ａ線における断面の拡大図である。
【００５０】
表示パネル１は、画素電極および薄膜トランジスタ等がマトリクス状に形成された第一の基板１０と、第一の基板１０に対向して、カラーフィルタ等が形成された第二の基板２０とを有し、第一の基板１０と第二の基板２０の間に液晶や有機ＥＬなどの表示素子３０が挟持されている。第一の基板１０と第二の基板２０との間は、例えば、５μｍ程度である。
【００５１】
第一の基板１０と第二の基板２０は、シール材４０により外周が貼り合わされている。第一の基板１０は第二の基板２０に対して、一般的に面積が大きく形成され、第一の基板１０の少なくとも１辺は、第二の基板２０より外側に突出している。この突出された領域にフレキシブルケーブル５０やプリント基板５５などが実装された端子部６０が形成されている。
【００５２】
端子部６０には、図示しないが、表示装置１００を駆動するための、駆動回路が形成されたＩＣドライバが配置されている。
【００５３】
第一の基板１０と第二の基板２０の材質はガラスであり、湾曲形状を実現させるために、少なくとも一方の基板の上側主面をフッ酸系溶液などの強酸性溶液中に基板を浸漬させる化学的な加工方法などを用いて薄板化を行う。具体的には、薄板化前の第一の基板１０及び第二の基板２０の板厚を一般的に０．４〜０．７ｍｍとしたとき、基板の主面が０．１〜０．３ｍｍ程度になるまで薄くする。このとき、第一の基板１０及び第二の基板２０上の配線端子の腐食を防止する目的で基板の端部を樹脂等で保護するため、図４に示す様に第一の基板１０及び第二の基板２０の主面の端部は、主面の中央部分より厚いことが多い。なお、厚みの異なる端部と主面の中央部分とはなだらかな曲線により結ばれている。
【００５４】
表示装置１００において、表示パネル１の下側、つまり第一の基板１０の下方には、保護層９５を備えた湾曲形状、ここでは、表示パネルが固定される面が凸状の湾曲形状に形成された後面筐体９０が設けられている。この後面筐体９０に沿って表示パネル１を固定することにより、表示パネル１は湾曲形状を実現している。後面筐体９０への表示パネル１の固定は、フレキシブルケーブル５０を介して表示パネル１に接続された端子部６０のプリント基板５５を、後面筐体９０へネジ等により固定することにより行う。また、保護フレーム７０を、表示パネル１の主面の端部を除く領域に接触させることにより行ってもよい。
【００５５】
また、表示パネル１と後面筐体９０との間には、表示パネル１と後面筐体９０との摩擦および衝撃を緩和するための保護層９５が形成されている。保護層９５は、樹脂フィルムや粘性のある樹脂で構成され、第一の基板１０の主面および端部と後面筐体９０の接触による摩擦や衝撃を緩和する。なお、保護層９５は、グラファイトシートなどを用いて形成されることにより、放熱の機能を有することができる。
【００５６】
なお、後面筐体９０への表示パネル１の固定方法について、本実施の形態ではプリント基板５５のネジ等による固定を示しているが、この限りではなく、固定用の持具を用いて固定してもよい。
【００５７】
保護フレーム７０は、図３及び図４に示すように、表示装置１００において表示パネル１の主面の端部に接触せずに表示パネル１の全周を覆うように配置されている。詳細には、保護フレーム７０は、表示パネル１の端部において、表示パネル１の端面及び端部の主面から所定距離離れた位置に、表示パネル１の主面の端部に接続しないで、表示パネル１の全周を覆う様に配置されている。保護フレーム７０と表示パネル１との間の距離は、一例として、０．２〜０．３ｍｍ程度である。
【００５８】
さらに、表示装置１００は表示パネル１、保護フレーム７０を収容し、後面筐体９０と対応する前面筐体８０を備えている。図５は、本実施の形態に係る保護フレーム７０の裏面の拡大図である。
【００５９】
保護フレーム７０の裏面は、図５に示すように、表示パネル１のフレキシブルケーブル５０の隙間の箇所のみ表示パネル１の厚みに加え１ｍｍ程度厚くなっている。すなわち、保護フレーム７０は、表示パネル１に接続されるフレキシブルケーブル５０を通す空隙を形成するための複数の突起部７５を有している。保護フレーム７０は、表示装置１００に配置されたときに、表示パネル１の主面の端部を除く領域に接触してもよい。
【００６０】
また、突起部７５は、突起部７５の高さが表示パネル１の高さよりも高くなるように形成されている。したがって、保護フレーム７０の突起部７５が形成されていない部分と表示パネル１との間には空隙が生じ、保護フレーム７０の突起部７５が形成されていない部分が表示パネル１（第一の基板１０）に接触することはない。このことから、第一の基板１０の端部に、保護フレーム７０と第一の基板１０とが接触することによりクラックが形成されるのを抑制することができる。なお、保護フレーム７０は、樹脂など柔軟性のある材質を用いれば湾曲させることは容易であるが、可能であれば、例えば予め後面筐体９０の湾曲形状と同じ曲率の湾曲形状に成型されていることが望ましい。
【００６１】
前面筐体８０は、開口部８５を有しており、当該開口部８５に表示パネル１の表示面が向けられている。前面筐体８０と後面筐体９０は、図示しないがネジ等によって固定されている。
【００６２】
かかる構成によれば、表示パネル１の端部に接触せずに全周を覆う保護フレーム７０を配置することにより、表示パネル１と保護フレーム７０および前面筐体８０との接触確率が低いために表示パネル１に大きな亀裂の起点が発生するのを抑制することができる。また、既に基板端部に存在する亀裂（クラック）の進展を抑制することができ、耐久性を向上させることができる。
【００６３】
次に、表示装置１００の製造方法について説明する。図６は、表示装置１００の製造工程を示すフローチャートである。表示装置１００の製造方法は以下のとおりである。
【００６４】
はじめに、所望の曲率に湾曲した後面筐体９０を準備する（ステップＳ１０）。後面筐体９０は、例えば、樹脂やアルミなどの金属で構成され、凸状の湾曲形状に形成される。
【００６５】
次に、後面筐体９０の主面（凸面）上に保護層９５を形成する（ステップＳ１２）。保護層９５は、表示パネル１と後面筐体９０との間に形成される。保護層９５は、樹脂フィルムや粘性のある樹脂で構成される。また、保護層９５は、グラファイトシートなどを用いて形成されることにより、放熱の機能を有する。
【００６６】
次に、保護層９５上に、表示パネル１を、後面筐体９０の主面に沿って配置する（ステップＳ１４）。後面筐体９０に沿って表示パネル１を固定することにより、表示パネル１は湾曲形状を実現する。表示パネル１には、あらかじめフレキシブルケーブル５０及びフレキシブルケーブル５０を介してプリント基板５５を有する端子部６０を接続しておくものとする。その後、端子部６０のプリント基板５５を、後面筐体９０へネジ等により固定することにより、表示パネル１を後面筐体９０へ固定する。
【００６７】
次に、表示パネル１の端部近傍を保護フレーム７０で覆う（ステップＳ１６）。保護フレーム７０は、樹脂等により表示パネル１の端部と接触しない形状に形成されている。保護フレーム７０は、表示パネル１に接続されるフレキシブルケーブル５０を通す空隙を形成するための複数の突起部７５を有するように形成されている。保護フレーム７０は、樹脂など柔軟性のある材質を用いれば湾曲させることは容易であるが、可能であれば予め湾曲形状に成型されていることが望ましい。
【００６８】
保護フレーム７０は、表示パネル１の主面の端部に接触せずに表示パネル１の全周を覆うように配置される。詳細には、保護フレーム７０は、上記したように、表示パネル１の端部において、表示パネル１の端面及び端部の主面から所定距離離れた位置に、表示パネル１の全周を覆う様に配置される。このとき、突起部７５は、例えば、第二の基板２０の外周より外側に突出した領域の第一の基板１０に接触されることとなる。保護フレーム７０と表示パネル１の主面の端部との間の距離は、一例として、０．２〜０．３ｍｍ程度である。
【００６９】
その後、開口部８５を有する前面筐体８０を、当該開口部８５に表示パネル１の表示面が向けられるように、後面筐体９０にネジ等によって固定する（ステップＳ１８）。これにより、上記した構成の表示装置１００が形成される。
【００７０】
かかる構成によれば、表示パネル１の端部に接触せずに全周を覆う保護フレーム７０を配置することにより、表示パネル１と保護フレーム７０および前面筐体８０との接触確率を低くし表示パネル１に大きな亀裂の起点が発生するのを抑制することができる。
【００７１】
（実施の形態２）
本発明の実施の形態２に係る表示装置について説明する。
【００７２】
図７は、本実施の形態に係る表示装置２００の構成を示す斜視図である。図８は、図７において前面筐体を省略した表示装置の構成を示す平面図である。図９は、図７及び図８の表示装置２００のＢ−Ｂ線における断面図である。図７〜図９において、図１〜図５と同じ構成要素については同じ符号を用い、説明を省略する。
【００７３】
図７において、表示装置２００が実施の形態１に係る表示装置１００と異なる点は、表示パネル１の湾曲形状である。実施の形態１に係る表示装置１００の表示パネル１が凸状の湾曲形状に形成されていたのに対し、本実施の形態に係る表示装置の表示パネル１は凹状の湾曲形状に形成されている。なお、図９はフレキシブルケーブルが存在しない部分の表示装置２００の断面図を示している。
【００７４】
図８及び図９に示すように、表示装置２００において、後面筐体２９０は、表示パネルが固定される面が凹状の湾曲形状に予め形成されており、後面筐体２９０の表面に沿うように保護層２９５が設けられている。表示パネル１を後面筐体２９０の湾曲形状に沿わせて配置し、プリント基板２５５をネジ等で固定する。なお、保護フレーム２７０および前面筐体２８０も後面筐体２９０に対応するように、表示パネルが固定される面が凹状の湾曲形状となる。
【００７５】
かかる構成によれば、表示パネル１の端部に接触せずに全周を覆う保護フレーム２７０を配置することにより、表示パネル１と保護フレーム２７０および前面筐体２８０との接触確率が低いために表示パネル１に大きな亀裂（クラック）の起点が発生するのを抑制することができる。また、既に基板端部に存在するクラックの進展を抑制することができ、耐久性を向上させることができる。
【００７６】
（実施の形態３）
次に、本発明の実施の形態３に係る表示装置について説明する。
【００７７】
図１０は、本実施の形態に係る表示装置３００の構成を示す斜視図である。図１１は、図１０において前面筐体を省略した表示装置の構成を示す平面図である。図１２は、図１０及び図１１の表示装置３００のＣ−Ｃ線における断面図である。なお、便宜上、図１２の左上側はフレキシブルケーブルが存在する部分の表示装置３００の断面図を示し、右下側はフレキシブルケーブルが存在しない部分の表示装置３００の断面図を示している。図９〜図１２において、図１〜図５と同じ構成要素については同じ符号を用い、説明を省略する。
【００７８】
図１０において、表示装置３００が実施の形態２に係る表示装置２００と異なる点は、表示装置３００を設置する向きである。また、表示装置３００は、その設置する向きに適した構成を有していることである。
【００７９】
表示装置３００は、図１０に示すように、立てて設置するための構成を有している。つまり、表示装置３００の湾曲していない一辺が下側（底辺）又は上側となるように設置されるための構成を有している。表示装置３００には、実施の形態１及び２に示した表示装置１００及び２００と同様、表示パネル１の四方を囲むように、フレキシブルケーブル３５０を介して表示パネル１に接続された端子部３６０が設けられ、端子部３６０は後面筐体３９０に固定されている。
【００８０】
ここで、表示装置３００は、図１０に示すように、表示装置３００の湾曲していない辺が下側（底辺）又は上側となるように設置されると、表示パネル１が特に凹状の湾曲形状である場合においては、高い位置に配置された上側のプリント基板３５５およびフレキシブルケーブル３５０の重量は、第一の基板１０および第二の基板２０にかかることになる。これにより、表示パネル１の面内に応力の偏りが生じる。その結果、表示パネル１は応力により破壊される可能性がある。従って、凹状の湾曲形状を有する表示装置３００は、湾曲していない一辺が底辺となるように立てて設置することが想定される場合には、図１２に示したように、後面筐体３９０のうち上側の一辺について、表示パネル１のフレキシブルケーブル３５０が設置される位置で屈曲された形状に形成されていることが好ましい。
【００８１】
これにより、後面筐体３９０の当該屈曲された部分にプリント基板３５５が配置されるため、表示パネル１の第一の基板１０及び第二の基板２０への応力がかかりにくくなり、表示装置３００の応力に対する耐久性および信頼性をより向上することができる。
【００８２】
なお、表示装置３００の湾曲形状は、表示パネルが固定される面が凹状の湾曲形状に限らず凸状の湾曲形状であってもよい。
【００８３】
（実施の形態４）
次に、本発明の実施の形態４に係る表示装置について説明する。
【００８４】
図１３は、本実施の形態に係る表示装置の断面の拡大図であり、図１および図２の表示装置のＡ−Ａ線における断面の拡大図である。図１３において、図４と同じ構成要素については同じ符号を用い、説明を省略する。
【００８５】
本実施の形態に係る表示装置が実施の形態１に係る表示装置１００と異なる点は、図１３に示すように、保護フレーム７０が第二の基板２０の端部を除く領域まで伸び、かつ、第二の基板２０側に屈曲した形状を有している点である。ここで、保護フレーム７０は、第二の基板２０の主面の端部を除く領域における第二の基板２０の主面と保護フレーム７０の下面との距離をｔ１、第二の基板２０の主面の端部における第二の基板２０の主面と保護フレーム７０の下面との距離をｔ２とすると、ｔ１＜ｔ２の関係が成り立つように配置されている。これにより、保護フレーム７０が第二の基板２０に接触してしまう場合があっても、第二の基板２０の主面の端部が保護フレーム７０の下面に接触するよりも先に第二の基板２０の主面の端部を除く領域が保護フレーム７０の下面に接触すると考えられる。
【００８６】
したがって、この構成によれば、第二の基板２０が保護フレーム７０に接触してしまう場合があったとしても、第二の基板２０の端部ではなく、第二の基板２０の主面の端部を除く領域で接触するので、保護フレーム７０が第二の基板２０（表示パネル１）の端部へ接触することや第二の基板２０（表示パネル１）の端部に圧力がかかることを防ぐことができる。これにより、表示装置の応力に対する耐久性および信頼性をより向上することができる。
【００８７】
以上、本発明に係る表示装置及びその製造方法について、実施の形態に基づいて説明したが、本発明に係る表示装置及びその製造方法は、上記の実施の形態に限定されるものではない。
【００８８】
例えば、表示装置の湾曲形状は、表示パネルが固定される面が凹状の湾曲形状に限らず凸状の湾曲形状であってもよい。保護フレームは、表示パネルの第一の基板上に配置されてもよいし、後面筐体上に配置されてもよい。また、後面筐体の主面上に保護層を形成せずに、直接表示パネルが配置されてもよい。
【００８９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００９０】
本発明にかかる表示装置およびその製造方法は、湾曲ディスプレイを用いたデジタルサイネージや、車載、アミューズメント機器用途など、デザイン性に優れた情報提示装置に応用できる。
【符号の説明】
【００９１】
１  表示パネル
１０  第一の基板
２０  第二の基板
３０  表示素子
４０  シール材
５０  フレキシブルケーブル
５５、２５５  プリント基板
６０  端子部
７０、２７０  保護フレーム
７５  突起部
８０、２８０  前面筐体
８５  開口部
９０、２９０  後面筐体
９５、２９５  保護層
１００、２００、３００表示装置
【図１】
2013242493.tif 000003
【図２】
2013242493.tif 000004
【図３】
2013242493.tif 000005
【図４】
2013242493.tif 000006
【図５】
2013242493.tif 000007
【図６】
2013242493.tif 000008
【図７】
2013242493.tif 000009
【図８】
2013242493.tif 000010
【図９】
2013242493.tif 000011
【図１０】
2013242493.tif 000012
【図１１】
2013242493.tif 000013
【図１２】
2013242493.tif 000014
【図１３】
2013242493.tif 000015